(57)【特許請求の範囲】
【請求項１】
合成樹脂製内側容器と、金属格子または金属薄板からなる外壁と、フォークリフト、棚操作装置または類似の輸送手段による取扱操作に合わせて形成されたパレット状の支台とを具備し、この支台がコーナー脚と中間脚で支えられた、内側容器を支持するための金属薄板製底板を有し、この内側容器が閉鎖可能な注入短管と、排出栓を接続するための流出短管とを備え、内側容器が中央に浅い傾斜流出条溝を有する傾斜流出底板を有し、この傾斜流出条溝が容器後壁から、容器の前壁に設けられた、排出栓を接続するための出口短管へゆるやかに傾斜して延在し、内側容器の底板に合わせて形成された支台の底板が２つの底板部分に分割され、この底板部分が底板の両縦方向端から底板中心軸線の方へおよび底板の後側端から前側端の方へ傾斜し、両底板部分が補強波形を備え、この補強波形（３７、３８）は、支台底板（２９）の両底板部分（２９ａ、２９ｂ）の上面（３６）にプレス成形されており、この補強波形が、底板部分の下面（３９）から下方に突出し、かつ底体（２９）の縦方向と横方向および／または底板中心軸線（３０−３０）に対して斜めに延在し、この補強波形の底（４０）が一つの共通の水平平面（４１−４１）内に位置している、液体用輸送兼貯蔵容器において、
底板後側端（３１）から底板前側端（３２）の方へゆるやかに傾斜する支台（１７）の底板（２９）の両底板部分（２９ａ、２９ｂ）の傾斜角度（α）が、０〜２°の範囲であり、両底板側方端（３３、３４）から底板中心軸線（３０−３０）の方へゆるやかに傾斜する支台（１７）の底板（２９）の両底板部分（２９ａ、２９ｂ）の傾斜角度（β）が、１〜３°であることを特徴とする容器。
【請求項２】
支台底板（２９）の中央領域（２９ｃ）において両底板部分（２９ａ、２９ｂ）の下面（３９）に、内側容器（２）の底板（７）用の補強兼支持ウェブ（４３）がプレス成形され、この補強兼支持ウェブが両底板部分の上面（３６）から上方に突出し、かつ底板（２９）の下面（３９）に取付けられた横材状の金属製補強薄板（４２）にわたって底板（２９）の横方向に延在していることを特徴とする請求項１に記載の容器。
【請求項３】
支台底板（２９）を補強するために、支台底板の両底板部分（２９ａ、２９ｂ）の上面（３６）に鉢状の凹部（４５）がプレス成形され、この凹部が両底板部分（２９ａ、２９ｂ）の下面（３９）から下方に突出し、凹部（４５）から他の補強波形（４６）が放射状に分岐していることを特徴とする請求項１または２に記載の容器。
【発明の詳細な説明】
【技術分野】
【０００１】
本発明は、合成樹脂製内側容器と、金属格子または金属薄板からなる外壁と、フォークリフト、棚操作装置または類似の輸送手段による取扱操作に合わせて形成されたパレット状の支台とを具備し、この支台がコーナー脚と中間脚で支えられた、内側容器を支持するための金属薄板製底板を有し、この内側容器が閉鎖可能な注入短管と、排出栓を接続するための流出短管とを備え、内側容器が中央に浅い傾斜流出条溝（Ａｂｌａｕｆｒｉｎｎｅ）を有する傾斜流出底板（Ａｂｌａｕｆｂｏｄｅｎ）を有し、この傾斜流出条溝が容器後壁から、容器の前壁に設けられた、排出栓を接続するための出口短管へゆるやかに傾斜して延在し、内側容器の底板に合わせて形成された支台の底板が２つの底板部分に分割され、この底板部分が底板の両縦方向端から底板中心軸線の方へおよび底板の後側端から前側端の方へ傾斜し、両底板部分が補強波形（Ｖｅｒｓｔｅｉｆｕｎｇｓｓｉｃｋｅ）を備え、この補強波形の底が共通の水平平面内に位置している、液体用輸送兼貯蔵容器に関する（特許文献１）。
【背景技術】
【０００２】
規格化されたこの種の市販の輸送兼貯蔵容器は、６４０リットル、８２０リットル、１０００リットルおよび１２５０リットルの定格容積を有する。
【先行技術文献】
【特許文献】
【０００３】
【特許文献１】欧州特許第０５０９２２８Ｂ１号明細書
【発明の概要】
【発明が解決しようとする課題】
【０００４】
本発明の根底をなす課題は、容器の外形寸法を変更せずに定格容積を増大させ、かつ支台の底板を補強するように、冒頭に述べた種類の輸送兼貯蔵容器の構造を改良することである。
【課題を解決するための手段】
【０００５】
この課題は本発明に従い、請求項１の特徴を有する液体用輸送兼貯蔵容器によって解決される。
【０００６】
従属請求項は本発明の有利で合目的な発展形態を含んでいる。
【発明の効果】
【０００７】
本発明に係る輸送兼貯蔵容器は次の利点がある。
いろいろな容積を有するように製作された新しい容器は、外形寸法が同じである場合に、市販の標準容器と比べて定格容積が増大する。この定格容積の増大は、合成樹脂製内側容器を支持する働きをするパレット状支台の底板を下げてゆるやかに傾斜させたことによって達成され、その際、輸送手段による輸送兼貯蔵容器の取扱操作のために必要である、輸送兼貯蔵容器の内側容器のための支台の支持底板の最低地上高を損なうことがない。輸送兼貯蔵容器の支台の支持底板を新しく形成することにより、公知の標準容器と比べて、定格容積に応じて、１０リットルまでの容積増大が達成される。さらに、新しい形状に基づいて支持底板の安定性が高まるので、支持底板を製作するための金属薄板の材料厚さを薄くすることができ、それに伴い製作コストが低減される。支台底板が絞り加工技術の観点から最適に形成されるので、市販の輸送兼貯蔵容器と比べて、支台底板のために安価な製作材料を使用することができる。
【０００８】
次に、図に基づいて本発明に係る液体用輸送兼貯蔵容器を説明する。
【図面の簡単な説明】
【０００９】
【図１】輸送兼貯蔵容器の斜視図である。
【図２】輸送容器の内側容器を支持するための支台の底板の拡大斜視図である。
【図３】図２の支台底板の平面図である。
【図４】図３のＩＶ−ＩＶ線に沿った支台底板の簡略化した拡大縦断面図である。
【図５】図３のＶ−Ｖ線に沿った支台底板の簡略化した拡大縦断面図である。
【図６】図３のＶＩ−ＶＩ線に沿った支台底板の簡略化した拡大縦断面図である。
【図７】図３のＶＩＩ−ＶＩＩ線に沿った支台底板の簡略化した拡大横断面図である。
【図８】図３のＶＩＩＩ−ＶＩＩＩ線に沿った支台底板の簡略化した拡大横断面図である。
【図９】図３のＩＸ−ＩＸ線に沿った支台底板の簡略化した拡大横断面図である。
【図１０】図３のＸ−Ｘ線に沿った支台底板の簡略化した拡大横断面図である。
【図１１】図３のＸＩ−ＸＩ線に沿った支台底板の簡略化した拡大横断面図である。
【図１２】図３のＸＩＩ−ＸＩＩ線に沿った支台底板の簡略化した拡大横断面図である。
【発明を実施するための形態】
【００１０】
使い捨て容器および何回も使える容器として使用可能である図１に示した液体用輸送兼貯蔵容器１は、その主構成部品として、交換可能な直方体の合成樹脂製内側容器２を備えている。この内側容器は前壁３と、後壁４と、２つの側壁５、６と、底板７と、天板８と、この天板８に成形され蓋１０によって閉鎖可能な注入短管９と、前壁３の下側部分の湾曲窪み１１に成形された、排出栓１３を接続するための出口短管１２とを備えている。液体用輸送兼貯蔵容器１は、その主構成部品としてさらに、互いに交叉する水平な金属製格子棒１５および垂直な金属製格子棒１６を有する格子壁として形成された、内側容器２を収容するための外壁１４と、ＩＳＯ規格の長さ寸法と幅寸法を有するパレット状の支台１７とを備えている。
【００１１】
傾斜流出板として形成された内側容器２の底板７は、底板中心軸線１８−１８に関して対称に配置された２つの底板部分７ａ、７ｂに分割されている。この底板部分は０〜２°の範囲内の小さな傾斜角度αをなして容器２の後壁４から前壁３の方へ傾斜し、かつ１〜３°の範囲内の小さな傾斜角度βをなして容器の両側壁５、６から底板中心線１８−１８の方へ傾斜している。
【００１２】
内側容器２の底板７は中央の浅い傾斜流出条溝１９を有する。この傾斜流出条溝は、容器後壁４から、容器の前壁３に設けられた、排出栓１３を接続するための出口短管１２の方へやや傾斜して延在している。
【００１３】
フォークリフト、棚操作装置または類似の輸送手段による取扱操作に合わせて設計された、図２、３に示した輸送兼貯蔵容器１の支台１７は、コーナー脚２０〜２３および中間脚２４〜２７と下枠２８に載っている、内側容器２を支持するための金属薄板製底板２９を備えている。内側容器２の底板７に適合する支台１７の底板２９は、底板中心軸線３０−３０線に関して対称に配置された２つの底板部分２９ａ、２９ｂに分割されている。この底板部分は内側容器２の両底板部分７ａ、７ｂのように、０〜２°の範囲内の傾斜角度αをなして底板後側端３１から底板前側端３２の方へゆるやかに傾斜し、かつ１〜３°の範囲内の傾斜角度βをなして底板２９の両側方端３３、３４から底板中心軸線３０−３０の方へゆるやかに傾斜している。
【００１４】
内側容器２の底板７に適合した支台１７の底板２９には、内側容器２の底板７の傾斜流出条溝１９を収容するための条溝状凹部３５が形成されている。この凹部は底板後側端３１から底板前側端３２の方へゆるやかに傾斜している。
【００１５】
支台１７の両底板部分２９ａ、２９ｂの上面３６には、底板の縦方向および横方向に延在する補強波形３７、３８がプレス成形されている。この補強波形は底板部分の下面３９から下方に突出し、そのウェブ底４０は共通の水平平面４１−４１内に位置している。従って、輸送兼貯蔵容器１のパレット状支台１７の底板２９は、その下に挿入されるフォークリフトまたは棚操作装置の図示していない掴みアーム上に水平に、ひいては傾動しないように載置される。
【００１６】
支台底板２９の両底板部分２９ａ、２９ｂの中間領域の下面３９には、側方の中間脚２６、２７と一体に形成された横材状の金属製補強薄板４２が固定されている。この中間領域において、両底板部分２９ａ、２９ｂの下面３９には、補強波形４３がプレス成形されている。この補強波形は両底板部分２９ａ、２９ｂの上面３６から上方に突出し、支台底板２９の横方向に延在している。補強波形４３の頂部４４は内側容器２の底板７の両底板部分７ａ、７ｂを支持する働きをする。
【００１７】
支台底板２９の両底板部分２９ａ、２９ｂの上面３６には、底板をさらに補強するために、鉢状の凹部４５がプレス成形されている。この凹部は底板部分２９ａ、２９ｂの下面３９から下方に突出し、そしてそこから他の補強波形４６が放射状に分岐している。
【符号の説明】
【００１８】
１  輸送兼貯蔵容器
２  内側容器
３  内側容器２の前壁
４  内側容器２の後壁
５  内側容器２の側壁
６  内側容器２の側壁
７  内側容器２の底板
７ａ  底板７の底板部分
７ｂ  底板７の底板部分
８  内側容器２の天板
９  天板８の注入短管
１０  注入短管９の蓋
１１  前壁３の湾曲窪み
１２  湾曲窪み１１の出口短管
１３  排出栓
１４  外壁
１５  外壁１４の水平な格子棒
１６  外壁１４の垂直な格子棒
１７  パレット状支台
１８−１８  底板７の中心軸線
１９  底板７の傾斜流出条溝
２０  支台１７のコーナー脚
２１  支台１７のコーナー脚
２２  支台１７のコーナー脚
２３  支台１７のコーナー脚
２４  支台１７の中間脚
２５  支台１７の中間脚
２６  支台１７の中間脚
２７  支台１７の中間脚
２８  支台１７の下枠
２９  支台１７の底板
２９ａ  底板２９の底板部分
２９ｂ  底板２９の底板部分
２９ｃ  底板２９の中間領域
３０−３０  底板２９の中心軸線
３１  底板２９の後側端
３２  底板２９の前側端
３３  底板２９の側方端
３４  底板２９の側方端
３５  底板２９の条溝状凹部
３６  底板部分２９ａ、２９ｂの上面
３７  底板部分２９ａ、２９ｂの縦方向の補強波形
３８  底板部分２９ａ、２９ｂの横方向の補強波形
３９  底板部分２９ａ、２９ｂの下面
４０  補強波形３７、３８の底
４１−４１  ウェブ底４０の水平平面
４２  下面３９の金属製補強薄板
４３  中間領域２９ｃの補強波形
４４  補強波形４３の頂部
４５  上面３６の鉢状凹部
４６  凹部４５の補強波形
α  底板部分２９ａ、２９ｂの傾斜角度
β  底板部分２９ａ、２９ｂの傾斜角度
【図１】
0005052546.tif 000002
【図２】
0005052546.tif 000003
【図３】
0005052546.tif 000004
【図４】
0005052546.tif 000005
【図５】
0005052546.tif 000006
【図６】
0005052546.tif 000007
【図７】
0005052546.tif 000008
【図８】
0005052546.tif 000009
【図９】
0005052546.tif 000010
【図１０】
0005052546.tif 000011
【図１１】
0005052546.tif 000012
【図１２】
0005052546.tif 000013